(57)【要約】【課題】テストリード棒を使用する際に、蓋体の開閉をせずにテストリード棒の取り出しや収納ができる、携帯用測定器の収納装置を提供する。【解決手段】テストリード棒２２，３２にコード２１，３１を接続した陽極プローブ２、陰極プローブ３を有する携帯用測定器１を内部に着脱可能に装着するケース本体４の一つの側部４２にはケース本体４の開口面１４を覆う蓋体５が接続され、ケース本体４の他の側部４３には外部に突出してコードが巻き付けられる胴部６が設けられており、この胴部６の外部に各テストリード棒２２，３２を並列に挟み込んで収納可能な空間部７ａを有するクリップ体７が設けられているように構成した。【選択図】  図１
2004251805.tif 000002
【特許請求の範囲】
【請求項１】
テストリード棒にコードを接続した陽極プローブ及び陰極プローブを有する携帯用測定器を収納する収納装置であって、前記携帯用測定器を内部に着脱可能に装着するケース本体の一つの側部には前記ケース本体の開口面を開閉可能に覆う蓋体が接続され、前記ケース本体の他の側部には外部に突出して前記各プローブのコードが巻き付けられる胴部が設けられており、前記胴部の外部に前記各テストリード棒を並列に挟み込んで着脱可能に挿着できる空間部を有するクリップ体が設けられていることを特徴とする携帯用測定器の収納装置。
【請求項２】
クリップ体は、断面コ字状に設けた第１，第２のクリップ部が離隔されて前記胴部の外部に配設されている請求項１記載の携帯用測定器の収納装置。
【請求項３】
第１又は第２のクリップ部の少なくとも一方には、陽極プローブ、陰極プローブの各テストリード棒を並列に挟み込んで挿着が可能なように、前記各テストリード棒の外周に設けられる環状のフランジを挿通して案内するスリットが設けられている請求項２記載の携帯用測定器の収納装置。
【請求項４】
ケース本体の側部から外部に突出して設けられた胴部は、前記ケース本体の側部及びクリップ体より幅及び長さが短くて前記ケース本体の側部及びクリップ体との間に溝部となって構成されている請求項１〜３のいずれか１項に記載の携帯用測定器の収納装置。
【発明の詳細な説明】
【０００１】
【発明の属する技術分野】
本発明は、プローブを有する携帯用測定器の収納装置に係り、特に、プローブ収納部を備えた携帯用測定器の収納装置に関する。
【０００２】
【従来の技術】
プローブを有する携帯用測定器を収納する携帯用測定器の収納装置として、携帯用測定器等の筐体構造が知られている。（例えば特許文献１参照）
【０００３】
【特許文献１】
特開２００１−７４７７４
【０００４】
上記特許文献１（特開２００１−７４７７４）に記載された携帯用測定器等の筐体構造について、図７及び図８（ａ）（ｂ）を参照して説明する。図７及び図８（ａ）（ｂ）によれば、携帯用測定器１１１は、その全体の筐体１１２が適宜の平面形状を呈して形成されているケース本体１１３と、該ケース本体１１３の開口面１１３ａを開閉自在に覆う外蓋体１２３と、施蓋時にこれらケース本体１１３と外蓋体１２３との間に内蔵される中蓋体１３３とを備えて構成されている。外蓋体１２３は、ケース本体１１３の開口面１１３ａを覆う蓋板部１２４と、該蓋板部１２４の周囲を適宜高さで囲繞し、かつ、側板部１１８の端面１１８ａと対面合致するようにして当接する端面１２５ａを有してなる側板部１２５とで形成されている。
【０００５】
ケース本体１１３の軸受け部１１９，１１９と対面する外蓋体１２３の端面１２５ａ側には、支軸部１２６が設けられており、ケース本体１１３に対し外蓋体１２３を開閉自在に軸支できるようになっている。蓋板部１２４と対面する側の天板部１３４には、その長さ方向での一側半分寄りにプローブの２本のテストリード棒１５１，１５１の収納を自在とした収納部１３６がケース本体１１３側に向かって凹設されている。収納部１３６の適宜位置には、不使用時におけるプローブの２本のテストリード棒１５１，１５１を安定的に定置させる計３本の支持片１３７，１３７，１３７が立設されている。
また、天板部１３４の長さ方向での他側半分寄りには、収納部１３６に収納した２本のテストリード棒１５１，１５１が有するコード１５２，１５２を捲着させるべく相互を適宜間隔を離間させた一対の突起部１３８，１３８が立設されている。
【０００６】
【発明が解決しようとする課題】
しかし、上記の携帯用測定器等の筐体構造では、プローブのテストリード棒を使用する際に、外蓋体を開いて取り出し、テストリード棒の不使用時には外蓋体を閉じることになり、テストリード棒の使用に際して外蓋体を開閉させてテストリード棒を出し入れしなければならず、プローブを有する携帯用測定器の使い勝手が悪いという問題があった。
【０００７】
本発明はプローブのテストリード棒を使用する際に、蓋体の開閉をせずにテストリード棒の取り出しや収納ができるので、著しく使い勝手がよいばかりでなく構造が簡単で、しかも携帯用測定器を確実に装着できる収納装置を提供することを目的とする。
【０００８】
【課題を解決するための手段】
前記目的達成のため、請求項１記載の発明は、テストリード棒にコードを接続した陽極プローブ及び陰極プローブを有する携帯用測定器を収納する収納装置であって、前記携帯用測定器を内部に着脱可能に装着するケース本体の一つの側部には前記ケース本体の開口面を開閉可能に覆う蓋体が接続され、前記ケース本体の他の側部には外部に突出して前記各プローブのコードが巻き付けられる胴部が設けられており、前記胴部の外部に前記各テストリード棒を並列に挟み込んで着脱可能に挿着できる空間部を有するクリップ体が設けられていることを特徴とする携帯用測定器の収納装置に関するものである。
【０００９】
また、請求項２記載の発明は、クリップ体は、断面コ字状に設けた第１，第２のクリップ部が離隔されて前記胴部の外部に配設されている請求項１記載の携帯用測定器の収納装置である。
【００１０】
また、請求項３記載の発明は、第１又は第２のクリップ部の少なくとも一方には、陽極プローブ、陰極プローブの各テストリード棒を並列に挟み込んでの収納が可能なように、前記各テストリード棒の外周に設けられる環状のフランジを挿通して案内するスリットが設けられている請求項２記載の携帯用測定器の収納装置である。
【００１１】
また、請求項４記載の発明は、ケース本体の側部から外部に突出して設けられた胴部は、前記ケース本体の側部及びクリップ体より幅及び長さが短く前記ケース本体の側部及びクリップ体との間に溝部となって構成されている請求項１〜３のいずれか１項に記載の携帯用測定器の収納装置である。
【００１２】
【発明の実施の形態】
以下の本発明を図面に示す実施の形態に基づいて説明する。
図１は、蓋が開いた状態の収納ケースに携帯用測定器を収納した本発明の第１の実施の形態の平面図、図２は図１の収納ケースに携帯用測定器を収納した状態で蓋を閉じた形態の平面図、図３は第１の実施の形態のプローブを有する携帯用測定器を収納する収納ケースの筐体構造における使用例を示す平面図、図４は図１の蓋が開いた状態の収納ケースの斜視図、図５（ａ）は図２おけるＡ−Ａ線での断面図、図５（ｂ）は図２おけるＢ−Ｂ線での断面図、図６は本発明の第２の実施の形態の蓋が開いた状態の収納ケースの平面図である。
【００１３】
図１から図５において、携帯用測定器１は一つの側部１ａからコード２１及びコード３１が引き出されており、コード２１の先端にはテストリード棒２２が接続され、また、コード３１の先端にはテストリード棒３２が接続されて、携帯用測定器１の陽極プローブ２と陰極プローブ３を形成している。携帯用測定器１は収納ケース１０を構成するケース本体４に収納されている。ケース本体４は、略長方形の底部４１の４つの辺に所定幅に側部４２，４３，４４，４５が立設されて直方体の箱状に形成されており、側部４３と、この側部４３と対向位置の側部４５の中央には、それぞれ係合突起４３１，４５１が立設されていて、後述する突起４２６とともに、ケース本体４の内部に携帯用測定器１が収納されると携帯用測定器１の端部の上面に弾性を有して当接し、ケース本体４の内部に携帯用測定器１は係止されて着脱可能に装着される。
【００１４】
ケース本体４の一つの側部（図１では上部）４２は中央部分に切欠き４２１が形成されている。ケース本体４の一つの側部（図１では上部）４２における切欠き４２１の位置には、切欠き４２１の両側の側部４２２，４２３のそれぞれの内側に接して、突起４２４，４２５が立設され、また、突起４２４，４２５の中央の位置には前記したケース本体４内の携帯用測定器１を係止するための突起４２６が立設されている。切欠き４２１の形成されている底部４１の先端は、幅方向に延設されて開閉帯４２７が形成されている。開閉帯４２７の先端部は、ケース本体４の開口面１４を覆うように被せられる蓋体５の底部５１に接続されている。そして、開閉帯４２７と対向位置の側部（図１では下部）４４の中央には、係合突起４４１が立設されている。
【００１５】
蓋体５は略長方形の底部５１の４つの辺に所定幅に側部５２，５３，５４，５５が立設されて箱状に形成されている。蓋体５の一つの側部（図１では下部）５２には中央部分に切欠き５２１が形成されており、切欠き５２１における底部５１の先端は開閉帯４２７に接続されており、ケース本体４の開口面１４を蓋体５で開閉できるようになっている。また、蓋体５の切欠き５２１の両側の側部５２２，５２３のそれぞれの内側に接して、突起５２４，５２５が立設されている。また、蓋体５の切欠き５２１と対向位置の側部５４の中央の先端部には、係合突起４４１と係合可能な係合溝５４１が設けられている。
【００１６】
ケース本体４の開閉帯４２７が設けられた側部４２とは別の側部４３には外部に突出して、陽極プローブ２のコード２１及び陰極プローブ３のコード３１を巻き付けできる胴部６が設けられている。そして、胴部６の外部には、陽極プローブ２と陰極プローブ３の各テストリード棒２２，３２を並列に挟み込んで収納可能な収納空間部７ａを有するクリップ体７が設けられている。クリップ体７は、断面コ字状に設けた第１，第２のクリップ部７１，７２を離隔させてケース本体４の側部４３に設けられた胴部６の外部に設けられている。
【００１７】
この場合、クリップ体７に陽極プローブ２と陰極プローブ３の各テストリード棒２２，３２を並列に挟み込むときに、第１，第２のクリップ部７１，７２の間の空間部分７３での操作が自由にできるから、空間部分７３に、各テストリード棒２２，３２を手で持ったまま押し込んで、クリップ体７に各テストリード棒２２，３２を並列に挟み込むことが容易にできる。また、図３に示すように、クリップ体７に一方のテストリード棒３２（又は２２）を挟み込み、携帯用測定器１を収納したケース本体４と、他方のテストリード棒２２（又は３２）を手で持てば、手で持った一方のテストリード棒２２（又は３２）とともに、クリップ体７に挟み込んだ他方のテストリード棒３２（又は２２）を容易に操作することができる。
【００１８】
また、胴部６の幅（厚み）と長さは、ケース本体４の側部４３の幅とクリップ体７の幅よりも小さく、また、長さも短く、側部４３とクリップ体７の幅方向の中間部に突出して設けられるため、胴部６により、ケース本体の側部４３とクリップ体７との間に溝部となって構成され、２１及びコード３１を巻き付けることができる。
【００１９】
第１又は第２のクリップ部７１，７２の少なくとも一方（図では７１）には、各テストリード棒２２，３２を並列に挟み込んでの収納が可能なように、各テストリード棒２２，３２の各外周に設けられる環状のフランジ（所謂バリアと呼ばれている）８１，８２を挿通して案内する上下のスリット９，９が設けられている。したがって、クリップ部７１のスリット９に、一対のテストリード棒２２，３２の各外周に設けられる環状のフランジ（所謂バリアと呼ばれている）８１，８２を挿通して押し込めば、スリット９に沿って環状のフランジ８１，８２が押し込まれるので、クリップ部７１の収納空間部７ａに各テストリード棒２２，３２は並列に挟み込まれた状態で収納できる。また、蓋体５を不透明又は半透明に形成する場合には、透明窓部５７を設けて携帯用測定器１の表示部１１の表示を透明窓部５７を透過して表示できるようにして、蓋体５を被せた状態で収納ケース１０に収納した携帯用測定器１の表示が外部から見えるようにしておくとよい。なお、蓋体５を透明に形成する場合には、透明窓部５７は設ける必要はない。
【００２０】
なお、第１の実施の形態では、携帯用測定器１を収納するケース本体４の蓋体５は、ケース本体の上部に開閉帯４２７を設けて、ケース本体の上部に開閉する縦開き構造の収納ケース１０を使用したものについて説明したが、図６に示す第２の実施の形態の携帯用測定器の収納装置のように、携帯用測定器１を収納するケース本体２０４は、左側部（又は右側部）に開閉帯２０６を設けて形成し、ケース本体２０４の左側部（又は右側部）に開閉する横開き構造の収納ケース１０ａのものであってもよい。
【００２１】
【発明の効果】
以上述べたように本発明のテストリード棒にコードを接続した陽極プローブ、陰極プローブを有する携帯用測定器を収納する携帯用測定器の収納装置によれば、ケース本体の開口面を覆う蓋体の開閉に関係しないように、ケース本体の側部に設けたクリップ体に各テストリード棒を並列に挟み込んで収納できるようにしており、また、ケース本体の側部とクリップ体との間に形成した溝部からなる胴部にコードを巻き付けるように構成したから、携帯用測定器を収納するケース本体の開口面を覆う蓋体を開閉することなく、テストリード棒の取り出しや収納ができる等優れた効果を奏する。
【図面の簡単な説明】
【図１】蓋が開いた状態の収納ケースに携帯用測定器を収納した本発明の第１の実施の形態の平面図である。
【図２】図１の収納ケースに携帯用測定器を収納した状態で蓋を閉じた形態の平面図である。
【図３】第１の実施の形態の携帯用測定器の収納装置を示す平面図である。
【図４】図１の蓋が開いた状態の収納ケースの斜視図である。
【図５】（ａ）は図２おけるＡ−Ａ線での断面図である。
（ｂ）は図２おけるＢ−Ｂ線での断面図である。
【図６】本発明の第２の実施の形態の携帯用測定器の収納装置の平面図である。
【図７】従来例の携帯用測定器等の筐体構造の開蓋状態での正面図である。
【図８】（ａ）は図７に示す例についての施蓋状態の正面図である。
（ｂ）は（ａ）のＡ−Ａ線矢視方向での縦断面図を示す。
【符号の説明】
１  携帯用測定器
１ａ  側部
２，３  プローブ
４  ケース本体
５  蓋体
６  胴部
７  クリップ体
７ａ  収納空間部
９  スリット
１０，１０ａ  収納ケース
１１  表示部
１４  開口面
２１，３１  コード
２２，３２  テストリード棒
４１，５１  底部
４２，４３，４４，４５，５２，５３，５４，５５  側部
５７  透明窓部
７１  第１のクリップ部
７２  第２のクリップ部
８１，８２  環状のフランジ
４２１，５２１  切欠き
４２２，４２３  切欠き４２１の両側の側部
４２４，４２５，４２６，５２４，５２５  突起
４２７  開閉帯
４３１，４４１，４５１  係合突起
５２２，５２３  切欠き５２１の両側の側部
５４１  係合溝
【図１】
2004251805.tif 000003
【図２】
2004251805.tif 000004
【図３】
2004251805.tif 000005
【図４】
2004251805.tif 000006
【図５】
2004251805.tif 000007
【図６】
2004251805.tif 000008
【図７】
2004251805.tif 000009
【図８】
2004251805.tif 000010